(57)【要約】【課題】栓口側にネック部を備えた、例えば、ペットボトル・ガラス瓶等の各種ボトル体の当該ネック部に係合させてボトル体の栓口を覆うように被せられ、内部にコップ等の容器を収納可能とした、ボトル体への容器取付用個装箱を提供する。【解決手段】本発明に係るボトル体への容器取付用個装箱は、コップ等の容器の飲み口側を底部側に向けて収納可能とし、上側の蓋部を開放して容器を取り出し可能とした箱体であり、該箱体の底部側には、互いに内向傾斜状に折り込まれて箱体内の容器の飲み口側に各先端部が挿入して互いに係合固定され、且つボトル体の栓口側を挿入して当該栓口のネック部分を係止可能とした略台形フラップ状の複数の底部パネルを備えている。【選択図】図２
2008296978.tif 000002
【特許請求の範囲】
【請求項１】
コップ等の容器の飲み口側を底部側に向けて収納可能とし、上側の蓋部を開放して容器を取り出し可能とした箱体であり、該箱体の底部側には、互いに内向傾斜状に折り込まれて箱体内の容器の飲み口側に各先端部が挿入して互いに係合固定され、且つボトル体の栓口側を挿入して当該栓口のネック部分を係止可能とした略台形フラップ状の複数の底部パネルを備えてなることを特徴としたボトル体への容器取付用個装箱。
【請求項２】
底部パネルは、両側縁部に段差状の被係止部を有する前後一対の被ロックパネル部と、該被係止部に対応して両側縁部に角形突片状のロック部を有する左右一対のロックパネル部とを備えてなり、各パネル部が互いに内向傾斜状に折り込まれて箱体内の容器の飲み口側に各先端部が挿入して被係止部にロック部が係合固定されると共に、各パネル部の先端部同士によって開放形成された挿入開口部にボトル体の栓口側を挿入して当該栓口のネック部分を係止可能とした請求項１に記載のボトル体への容器取付用個装箱。
【請求項３】
箱体の側面には、当該箱体から被ロックパネル部、ロックパネル部それぞれの各一つを分離させるよう、被ロックパネル部、ロックパネル部それぞれの折り返し部分に沿って切裂帯が設けられている請求項１または２に記載のボトル体への容器取付用個装箱。
【請求項４】
箱体の展開形状は、略矩形板状の４つの側板が折り込み用の罫線を介して互いに連設され、中間の側板の上側には罫線を介して蓋部が連設され、蓋部を連設した側板に隣接する左右側板それぞれの上側には罫線を介して押さえフラップが連設され、４つの側板のうちの互いに隣接する２つの側板それぞれの下側には切裂帯を介して被ロックパネル部とロックパネル部とが連設され、４つの側板のうちの互いに隣接する他の２つの側板それぞれの下側には罫線を介して被ロックパネル部とロックパネル部とが連設されてなる請求項１乃至３のいずれかに記載のボトル体への容器取付用個装箱。
【発明の詳細な説明】
【技術分野】
【０００１】
本発明は、栓口側にネック部を備えた、例えば、ペットボトル・ガラス瓶等の各種ボトル体の当該ネック部に係合させてボトル体の栓口を覆うように被せられ、内部にコップ等の容器を収納可能とした、ボトル体への容器取付用個装箱に関するものである。
【背景技術】
【０００２】
従来においては、特許文献１に開示されているように、側板を繋いで周壁を形成し、側板の下縁から延出した係止片を内側へ折り込んで商品容器のネック部に係合させ、側板の上縁から延出した天板を閉じるようにして形成した商品容器への取付広告具なる技術が存在する。
【０００３】
このとき、側板と係止片及び天板との境界をなす罫線を弓状に反らせて、側板が膨出曲面となるようにし、外側へ湾曲した側板の復元力により、対向する二枚の係止片の先端縁同士が接近して、商品容器のネック部を挟み込むようにしている。
【特許文献１】特開２００６−２９３１２８号公報
【発明の開示】
【発明が解決しようとする課題】
【０００４】
しかしながら、従来の特許文献１に示す取付広告具においては、側板と係止片及び天板との境界をなす罫線を弓状に反らせて、側板が膨出曲面となるように取り付けられていることで収納スペースが限定されてしまうことから、取付広告具の内部には軽く小さな景品を収納可能としているが、該取付広告具の内部に、重さのある大きなコップ等の容器を収容させることは不可能であった。
【０００５】
しかも、従来の取付広告具は、対向する二枚の係止片の先端縁同士が接近して、商品容器のネック部を挟み込むようにしているため、そのネック部に対する保持力が弱く、取付広告具を手で掴んで強制的に上方に持ち上げると、ネック部から取付広告具が簡単に外れてしまう虞があるという問題点を有していた。
【０００６】
そこで、本発明は如上のような従来存した諸事情に鑑み創出されたもので、重さのあるコップ等の容器を、損傷させることなく安定的に保持した状態で箱体に収容でき、しかも、箱体とボトル体が一体となって、コップ等の容器を収容している箱体を手で掴んで持ち上げてもボトル体が脱落せずに搬送が便利なものとなり、さらに、コップ等の容器を箱体から抜き取ったり容器を入れ替える等の改ざんを防止すると共に、コップ等の容器を収容している箱体が持ち去られる事態を防止して、キャンペーン等の販促効果を維持できる、ボトル体への容器取付用個装箱を提供することを目的とする。
【課題を解決するための手段】
【０００７】
本発明に係るボトル体への容器取付用個装箱は、コップ等の容器の飲み口側を底部側に向けて収納可能とし、上側の蓋部を開放して容器を取り出し可能とした箱体であり、該箱体の底部側には、互いに内向傾斜状に折り込まれて箱体内の容器の飲み口側に各先端部が挿入して互いに係合固定され、且つボトル体の栓口側を挿入して当該栓口のネック部分を係止可能とした略台形フラップ状の複数の底部パネルを備えてなることで、上述した課題を解決した。
【０００８】
また、底部パネルは、両側縁部に段差状の被係止部を有する前後一対の被ロックパネル部と、該被係止部に対応して両側縁部に角形突片状のロック部を有する左右一対のロックパネル部とを備えてなり、各パネル部が互いに内向傾斜状に折り込まれて箱体内の容器の飲み口側に各先端部が挿入して被係止部にロック部が係合固定されると共に、各パネル部の先端部同士によって開放形成された挿入開口部にボトル体の栓口側を挿入して当該栓口のネック部分を係止可能としたことで、同じく上述した課題を解決した。
【０００９】
さらに、箱体の側面には、当該箱体から被ロックパネル部、ロックパネル部それぞれの各一つを分離させるよう、被ロックパネル部、ロックパネル部それぞれの折り返し部分に沿って切裂帯が設けられていることで、同じく上述した課題を解決した。
【００１０】
また、箱体の展開形状は、略矩形板状の４つの側板が折り込み用の罫線を介して互いに連設され、中間の側板の上側には罫線を介して蓋部が連設され、蓋部を連設した側板に隣接する左右側板それぞれの上側には罫線を介して押さえフラップが連設され、４つの側板のうちの互いに隣接する２つの側板それぞれの下側には切裂帯を介して被ロックパネル部とロックパネル部とが連設され、４つの側板のうちの互いに隣接する他の２つの側板それぞれの下側には罫線を介して被ロックパネル部とロックパネル部とが連設されてなることで、同じく上述した課題を解決した。
【発明の効果】
【００１１】
本発明によれば、重さのあるコップ等の容器を、損傷させることなく安定的に保持した状態で箱体に収容でき、しかも、箱体とボトル体が一体となって、コップ等の容器を収容している箱体を手で掴んで持ち上げてもボトル体が脱落せずに搬送が便利なものとなり、さらに、コップ等の容器を箱体から抜き取ったり容器を入れ替える等の改ざんを防止すると共に、コップ等の容器を収容している箱体が持ち去られる事態を防止して、キャンペーン等の販促効果を維持できる。
【００１２】
すなわち、本発明に係るボトル体への容器取付用個装箱は、コップ等の容器の飲み口側を底部側に向けて収納可能とし、上側の蓋部を開放して容器を取り出し可能とした箱体であり、該箱体の底部側には、互いに内向傾斜状に折り込まれて箱体内の容器の飲み口側に各先端部が挿入して互いに係合固定され、且つボトル体の栓口側を挿入して当該栓口のネック部分を係止可能とした略台形フラップ状の複数の底部パネルを備えてなることから、箱体の底部を形成する略台形フラップ状の複数の底部パネルは、互いに内向傾斜状に折り込まれて箱体内の容器の飲み口側に各先端部が挿入された際に、底部パネルの被ロックパネル部とロックパネル部とがそれぞれの被係止部とロック部との係合を介して互いに保持固定されることとなり、収容されている容器に対し、箱体底部からの抜け止め機能と、容器を保護する緩衝材としての機能を付与させている。
【００１３】
また、底部パネルの各先端部同士によって開放形成された挿入開口部にボトル体の栓口側が挿入された際には、ボトル体の栓口のネック部分は、箱体の挿入開口部の縁部によって確実に係止保持されるものとなり、ボトル体の栓口のネック部分に取り付けている箱体を簡単に取り外すことができない状態となっている。
【００１４】
そのため、コップ等の容器を収容している箱体がボトル体の栓口のネック部分から外れて落下し、箱体に収容している容器に損傷を与える事態を確実に防止することができる。
【００１５】
また、ボトル体の栓口のネック部分は、箱体の挿入開口部の縁部によって確実に係止保持され、ボトル体と箱体が一体となることから、容器を収容している箱体を手で掴んで上方に持ち上げた場合であっても、ボトル体のネック部分が箱体の挿入開口部から抜けて、ボトル体が落下するようなことがない。
【００１６】
さらに、底部パネルは、両側縁部に段差状の被係止部を有する前後一対の被ロックパネル部と、該被係止部に対応して両側縁部に角形突片状のロック部を有する左右一対のロックパネル部とを備えてなり、各パネル部が互いに内向傾斜状に折り込まれて箱体内の容器の飲み口側に各先端部が挿入して被係止部にロック部が係合固定されると共に、各パネル部の先端部同士によって開放形成された挿入開口部にボトル体の栓口側を挿入して当該栓口のネック部分を係止可能としたので、底部パネルの各先端部同士によって開放形成された挿入開口部にボトル体の栓口側が挿入された際には、その押し込み力によって被ロックパネル部とロックパネル部それぞれの被係止部とロック部との係合が若干開放されることとなる。
【００１７】
そして、各パネル部はそれぞれ箱体の内側上方に向けて撓曲され、当該栓口のネック部分を挿入開口部の縁部によって係止させた位置で、被ロックパネル部とロックパネル部それぞれの復元力によって被係止部とロック部とを再び係合させることとなる。
【００１８】
そのため、ボトル体の栓口のネック部分に取り付けている箱体を簡単に取り外すことができない状態を維持できる。
【００１９】
また、容器を収容している箱体を手で掴んで上方に持ち上げた場合であっても、ボトル体のネック部分が箱体の挿入開口部から抜けて、ボトル体が落下するようなことがない。
【００２０】
加えて、箱体の側面には、当該箱体から被ロックパネル部、ロックパネル部それぞれの各一つを分離させるよう、被ロックパネル部、ロックパネル部それぞれの折り返し部分に沿って切裂帯が設けられているので、ボトル体の栓口のネック部分に取り付けている箱体において、この切裂帯を切り開いて、箱体から被ロックパネル部、ロックパネル部それぞれの各一つを分離させた後に、分離していない他方の被ロックパネル部、ロックパネル部のそれぞれの側に箱体を傾倒させることで、ボトル体のネック部分から箱体を簡単に取り外すことができる。
【００２１】
また、箱体の展開形状は、略矩形板状の４つの側板が折り込み用の罫線を介して互いに連設され、中間の側板の上側には罫線を介して蓋部が連設され、蓋部を連設した側板に隣接する左右側板それぞれの上側には罫線を介して押さえフラップが連設され、４つの側板のうちの互いに隣接する２つの側板それぞれの下側には切裂帯を介して被ロックパネル部とロックパネル部とが連設され、４つの側板のうちの互いに隣接する他の２つの側板それぞれの下側には罫線を介して被ロックパネル部とロックパネル部とが連設されてなるので、収容される容器に対し底部からの抜け止め機能と、容器を保護する緩衝材としての機能を付与させ、且つボトル体の栓口のネック部分を確実に係止保持させるボトル体への容器取付用個装箱を容易に製造することができる。
【００２２】
具体的には、本発明に係るボトル体への容器取付用個装箱を、全体として一構成部材により平面的に形成していることから、使用していない状態の大量の容器取付用個装箱をコンパクトに折り畳んで、段ボール箱やパレット等を用いた輸送が容易である。また、使用していない状態の容器取付用個装箱をコンパクトに折り畳んで、その保管スペースも削減できる。
【００２３】
この他、ボトル体への容器取付用個装箱の組み立てが容易で、箱体への容器の収容作業を簡単に行うことができる。また、容器を収容している箱体をボトル体の栓口のネック部分に取り付ける作業も、誰もが簡単に行うことができる。
【００２４】
また、箱体の組み立て作業、箱体への容器の収容作業、容器を収容している箱体のボトル体への取り付け作業を迅速に行って、全体の作業効率を向上させることができる。
【発明を実施するための最良の形態】
【００２５】
以下に、本発明を実施するための最良の形態を、図面を参照して説明する。
【００２６】
本発明に係るボトル体への容器取付用個装箱は、コップ等の容器Ｐの飲み口側を底部側に向けて収納可能とし、上側の蓋部４を開放して容器Ｐを取り出し可能とした矩形ボックス状の箱体１によって形成されている。
【００２７】
尚、箱体１が収納する容器Ｐは、ガラス製のコップ、プラスチック製のコップ、ステンレス製のコップ等を、全て包含するものである。
【００２８】
そして、箱体１は、互いに内向傾斜状に折り込まれて箱体１内の容器Ｐの飲み口側に各先端部が挿入して互いに係合固定され、且つボトル体Ｑの栓口Ｓ側を挿入して当該栓口Ｓのネック部分Ｎを係止可能とした略台形フラップ状の複数の底部パネル９を備えている。この複数の底部パネル９は、箱体１の底部を形成している。
【００２９】
具体的には、箱体１は、図１の展開図に示すように、略矩形板状の側板２ａ，２ｂ，２ｃ，２ｄが折り込み用の罫線１０を介して互いに連設されており、一端側の側板２ａの側端には、他端側の側板２ｄの側端に接続されるように糊代片２ｅが形成されている。
【００３０】
そして、二枚の側板２ｂ，２ｄそれぞれの略中央には、横長の開口部２ｆが穿設されている。
【００３１】
また、中間の側板２ｃの上側には、罫線１０を介して蓋部４が連設され、該蓋部４の上端には、罫線１０を介して差込フラップ４ａが連設されている。この蓋部４と差込フラップ４ａとの境の罫線１０の中央部分には、差込スリット５が形成され、該差込スリット５の中央部分から蓋部４にかけて半円孔部５ａが穿設されている。
【００３２】
さらに、中間の側板２ｂおよび他端側の側板２ｄそれぞれの上側には、罫線１０を介して押さえフラップ３が連設されている。
【００３３】
また、一端側の側板２ａの上側には、両サイドの切り込み部６ａと上下一対の横方向の罫線１０とを介して差込片６が連設され、箱体１の組立後において蓋部４が閉蓋された際に、差込片６が差込スリット５に差し込まれることで、当該蓋部４の開放を阻止できるようにしている。
【００３４】
そして、側板２ａ，２ｂ，２ｃ，２ｄそれぞれの下側には、罫線１０もしくは切裂帯１１を介して、箱体１の底部を形成する略台形フラップ状の底部パネル９が連設されている。
【００３５】
この底部パネル９は、被ロックパネル部７と、ロックパネル部８により形成されている。
【００３６】
被ロックパネル部７は、先端に向けて次第に幅を狭める略台形状のフラップの左右斜辺部を備えている。そして、当該左右斜辺部の先端部において、外向きの斜辺部を短く設け、一対の段差部７ｂを形成している。この一対の段差部７ｂの先端部には、先端に向けて次第に幅を狭める左右斜辺部を連設して、被係止部７ａを形成している。この被係止部７ａの先端部において、外向きの斜辺部を短く設け、一対の段差部７ｂを形成している。さらに、この一対の段差部７ｂの先端部には、先端に向けて次第に幅を狭める左右斜辺部を短く連設している。
【００３７】
このように、被ロックパネル部７は、先端に向けて次第に幅を狭める左右斜辺部を段差部７ｂを介して階段状に形成されており、側板２ａ，２ｃの下側に連設されている。
【００３８】
ロックパネル部８は、先端に向けて次第に幅を狭める略台形状のフラップの左右斜辺部を備えている。そして、当該左右斜辺部の先端部において、一対の垂直辺部を連設している。この一対の垂直辺部の先端部において、内向きの水平辺部を連設している。さらに、一対の水平辺部の先端部には、先端に向けて次第に幅を狭める左右斜辺部を連設している。
【００３９】
このように、ロックパネル部８は、先端に向けて次第に幅を狭める略台形状のフラップの左右斜辺部の先端部において、垂直辺部と水平辺部との延設により略角形突片状に形成されており、側板２ｂ，２ｄの下側に連設されている。
【００４０】
このとき、側板２ａ，２ｂの下側には、切裂帯１１を介して、被ロックパネル部７とロックパネル部８が連設されている。また、側板２ｃ，２ｄの下側には、罫線１０を介して、被ロックパネル部７とロックパネル部８が連設されている。
【００４１】
箱体１が組み立てられた際には、図２に示すように、底部パネル９における前後に対向配置された一対の被ロックパネル部７と、左右に対向配置された一対のロックパネル部８とが開放された状態で、箱体１内に容器Ｐが飲み口側を下方の各パネル部７，８側に向けられて収容される。
【００４２】
そして、各パネル部７，８が互いに内向傾斜状に折り込まれて箱体１内の容器Ｐの飲み口側に各先端部が挿入され、被ロックパネル部７の被係止部７ａにロックパネル部８のロック部８ａが係合されることで、各パネル部７，８それぞれが下方に開放されるのを阻止できるようにしている。
【００４３】
また、この状態においては、各パネル部７，８それぞれの先端部同士によって略矩形状の挿入開口部１２が開放形成され、当該挿入開口部１２にボトル体Ｑの栓口Ｓ側を挿入して、当該栓口Ｓのネック部分Ｎを係止させるようにしている。
【００４４】
尚、本実施の形態におけるボトル体への容器取付用個装箱は、９００ｍｌのペットボトルによるボトル体Ｑに使用しているが、これに限らず、栓口Ｓが同径で高さだけが異なる（例えば、５００ｍｌ・３５０ｍｌ・２５０ｍｌ等）ボトル体Ｑであれば、共通型として使用可能である。
【００４５】
次に、以上のように構成された本発明の最良の形態について、箱体１の組立の手順について説明する。
【００４６】
先ず、図３・図４に示すように、箱体１の側板２ａ，２ｂ，２ｃ，２ｄのそれぞれを罫線１０の折り込みによって筒状に組み立てておき、一端側の側板２ａの側端にある糊代片２ｅを、他端側の側板２ｄの側端内側に接着剤等で貼着する。
【００４７】
次に、図５に示すように、箱体１の上部開口側の左右にある押さえフラップ３を罫線１０の折り込みによって互いに内向きに折り込み、蓋部４を罫線１０の折り込みによって閉蓋し、差込フラップ４ａを側板２ａ内側に差し込む。そして、差込片６を蓋部４の差込スリット５に差し込む。
【００４８】
次に、図６に示すように、箱体１の底部パネル９を互いに内向傾斜状に折り込んで、当該底部パネル９の被ロックパネル部７とロックパネル部８とを、それぞれの被係止部７ａとロック部８ａとの係合を介して互いに固定させておく。
【００４９】
このようにして、箱体１の組み立てが完了する。
【００５０】
次に、箱体１を用いて、図７に示す容器Ｐを、ボトル体Ｑに取り付ける手順について説明する。
【００５１】
先ず、図５に示すように、箱体１の上部開口側の左右にある押さえフラップ３を罫線１０の折り込みによって互いに内向きに折り込み、蓋部４を罫線１０の折り込みによって閉蓋し、差込フラップ４ａを側板２ａ内側に差し込む。そして、差込片６を蓋部４の差込スリット５に差し込む。
【００５２】
そして、図８に示すように、底部パネル９における前後に対向配置された一対の被ロックパネル部７と、左右に対向配置された一対のロックパネル部８とを開放させておき、箱体１内に容器Ｐを収容する。このとき、容器Ｐの飲み口側が、各パネル部７，８側に向けられた状態にする。
【００５３】
容器Ｐの収容後には、図９に示すように、底部パネル９における相対向するロックパネル部８のそれぞれを、罫線１０を介して互いに内側に折り込んでおく。
【００５４】
そして、図１０・図１１に示すように、底部パネル９における相対向する被ロックパネル部７のそれぞれを、罫線１０を介して互いに内側に折り込む。
【００５５】
このとき、各パネル部７，８は、互いに内向傾斜状に折り込まれることにより、箱体１内の容器Ｐの飲み口側に各先端部が挿入される。
【００５６】
そして、被ロックパネル部７とロックパネル部８とが、それぞれの被係止部７ａとロック部８ａとの相互の係合を介して互いに保持固定される。
【００５７】
これにより、収容されている容器Ｐに対し、箱体１からの抜け止めとしての機能と、容器Ｐを保護するための緩衝材としての機能を、同時に付与できるのである。
【００５８】
次に、容器Ｐを収容した箱体１を、ボトル体Ｑに取り付ける手順について説明する。
【００５９】
先ず、図１２に示すように、容器Ｐを収容している箱体１を、挿入開口部１２が下側に位置するようにして手に持つ。
【００６０】
そして、図２・図１３に示すように、底部パネル９の各パネル部７，８の各先端部同士によって開放形成された挿入開口部１２をボトル体Ｑの栓口Ｓに当接させてさらに押し込み、ボトル体Ｑの栓口Ｓのネック部分Ｎに箱体１を取り付ける。
【００６１】
このとき、箱体１の押し込み力によって被ロックパネル部７とロックパネル部８それぞれの被係止部７ａとロック部８ａとの係合が若干開放され、各パネル部７，８はそれぞれ箱体１の内側上方に向けて撓曲された後、栓口Ｓのネック部分Ｎは挿入開口部１２の開口縁部によって係止させられる。
【００６２】
この状態では、被ロックパネル部７とロックパネル部８それぞれの復元力によって、被係止部７ａとロック部８ａとは再び係合させられた状態となる。
【００６３】
このように栓口Ｓのネック部分Ｎは、挿入開口部１２の開口縁部によって係止保持されていることから、ボトル体Ｑの栓口Ｓのネック部分Ｎから箱体１を取り外そうとすると、箱体１の被ロックパネル部７とロックパネル部８のそれぞれは箱体１の下方に向けて引っ張られることとなる。
【００６４】
その結果、被ロックパネル部７の被係止部７ａとロックパネル部８のロック部８ａとの係合がさらに強固なものとなり、これによって、ボトル体Ｑの栓口Ｓのネック部分Ｎに取り付けている箱体１を簡単に取り外すことができない状態を維持しているのである。
【００６５】
即ち、被ロックパネル部７とロックパネル部８は、罫線１０を介して、互いに箱体１の内側に折り込まれた状態で、被ロックパネル部７の被係止部７ａとロックパネル部８のロック部８ａが係合している。
【００６６】
この状態で箱体１の被ロックパネル部７とロックパネル部８のそれぞれが下方に向けて引っ張られると、被ロックパネル部７とロックパネル部８の基端部が罫線１０を介して箱体１に連設していることから、被ロックパネル部７とロックパネル部８の先端部同士が、互いに近寄る方向に移動する。
【００６７】
そのため、被ロックパネル部７の被係止部７ａとロックパネル部８のロック部８ａとの係合が、さらに強固なものとなるのである。
【００６８】
次に、箱体１から容器Ｐを取り出し、その後、ボトル体Ｑからこの箱体１を取り外す手順について説明する。
【００６９】
先ず、図１４に示すように、差込スリット５から差込片６を抜き出し、差込フラップ４ａを抜いて蓋部４を開蓋し、さらに押さえフラップ３を引き起こしてから、箱体１内の容器Ｐを抜き取る。
【００７０】
次に、図１５に示すように、切裂帯１１を切り開いて、箱体１から被ロックパネル部７、ロックパネル部８のそれぞれの各一つを分離させる。このとき、図１６に示すように、他方の被ロックパネル部７、ロックパネル部８のそれぞれは分離していないため、ボトル体Ｑの栓口Ｓのネック部分Ｎが、箱体１の挿入開口部１２の開口縁部によって係止された状態が依然として一部維持されている。
【００７１】
そして、図１７に示すように、箱体１から分離していない他方の被ロックパネル部７、ロックパネル部８のそれぞれの側に箱体１を傾倒させれば、ボトル体Ｑのネック部分Ｎと、分離させた被ロックパネル部７、ロックパネル部８のそれぞれが何等係合しないことから、ボトル体Ｑのネック部分Ｎから箱体１を簡単に取り外すことができる。
【産業上の利用可能性】
【００７２】
本発明に係るボトル体への容器取付用個装箱は、商品である各種のボトル体や缶容器等に箱体を取り付けて宣伝広告効果を高めたり、コップ等の容器以外の様々な景品等を収納する個装箱として利用する等、幅広く応用することができる。
【図面の簡単な説明】
【００７３】
【図１】ボトル体への容器取付用個装箱を形成する箱体の構成を示す展開平面図である。
【図２】容器を収容した箱体をボトル体に取り付けた状態の断面図である。
【図３】ボトル体への容器取付用個装箱を形成する箱体の構成を示す展開斜視図である。
【図４】箱体の側板を折り込んで組み付けた状態を示す斜視図である。
【図５】箱体の底部パネルを折り込んだ状態を示す斜視図である。
【図６】箱体の蓋部を折り込んで閉蓋した状態を示す斜視図である。
【図７】ボトル体と容器の構成を示す斜視図である。
【図８】箱体の底部パネルを開放して容器を収容した状態を示す斜視図である。
【図９】箱体の底部パネルのロックパネル部を折り込んだ状態を示す斜視図である。
【図１０】箱体の底部パネルの被ロックパネル部を折り込んだ状態を示す斜視図である。
【図１１】箱体の底部パネルにおける被ロックパネル部、ロックパネル部それぞれの折り込みによって挿入開口部が形成された状態を示す斜視図である。
【図１２】箱体の底部パネルの挿入開口部にボトル体の栓口を挿入する状態を示す斜視図である。
【図１３】箱体をボトル体の栓口に取り付けた状態を示す斜視図である。
【図１４】箱体の蓋部を開蓋して容器を取り出す状態を示す斜視図である。
【図１５】箱体の切裂帯を切断している状態を示す斜視図である。
【図１６】箱体の切裂帯の切断後の状態を示す斜視図である
【図１７】箱体を傾倒させてボトル体から箱体を取り外している状態を示す斜視図である。
【符号の説明】
【００７４】
Ｐ…容器
Ｑ…ボトル体
Ｓ…栓口
Ｎ…ネック部分
１…箱体
２ａ，２ｂ，２ｃ，２ｄ…側板
２ｅ…糊代片
２ｆ…開口部
３…押さえフラップ
４…蓋部
４ａ…差込フラップ
５…差込スリット
５ａ…半円孔部
６…差込片
６ａ…切り込み部
７…被ロックパネル部
７ａ…被係止部
７ｂ…段差部
８…ロックパネル部
８ａ…ロック部
９…底部パネル
１０…罫線
１１…切裂帯
１２…挿入開口部
【図１】
2008296978.tif 000003
【図２】
2008296978.tif 000004
【図３】
2008296978.tif 000005
【図４】
2008296978.tif 000006
【図５】
2008296978.tif 000007
【図６】
2008296978.tif 000008
【図７】
2008296978.tif 000009
【図８】
2008296978.tif 000010
【図９】
2008296978.tif 000011
【図１０】
2008296978.tif 000012
【図１１】
2008296978.tif 000013
【図１２】
2008296978.tif 000014
【図１３】
2008296978.tif 000015
【図１４】
2008296978.tif 000016
【図１５】
2008296978.tif 000017
【図１６】
2008296978.tif 000018
【図１７】
2008296978.tif 000019